(57)【要約】【課題】円滑な会議の開始を可能とする。【解決手段】エレベーター制御システム１００Ｓは、エレベーターの運転を制御する運転制御部を有し、エレベーターの乗場付近に位置する携帯端末の端末識別情報を検出する端末検出部と、端末検出部によって検出された端末識別情報が、ユーザにかかわるスケジュールを管理する管理システムから受信した端末識別情報のリストに含まれるか否かを判定する検出判定部と、運転制御部から取得したエレベーターの運転情報と、管理システムから受信したスケジュールとの照合結果に基づいて、検出判定部によってリストに端末識別情報が含まれると判定された携帯端末の所持ユーザの移動を判定する移動判定部と、所持ユーザまたは他のユーザが所持する携帯端末に対して、移動判定部による所持ユーザの移動の判定結果に基づいた通知を行う通知部とを備えた。【選択図】図２
2020200122.tif 000002
【特許請求の範囲】
【請求項１】
エレベーターの運転を制御する運転制御部を有するエレベーター制御システムであって、
前記エレベーターの乗場付近に位置する携帯端末の端末識別情報を検出する端末検出部と、
前記端末検出部によって検出された端末識別情報が、ユーザにかかわるスケジュールを管理する管理システムから受信した端末識別情報のリストに含まれるか否かを判定する検出判定部と、
前記運転制御部から取得した前記エレベーターの運転情報と、前記管理システムから受信したスケジュールとの照合結果に基づいて、前記検出判定部によって前記リストに端末識別情報が含まれると判定された携帯端末の所持ユーザの前記エレベーターを利用した移動を判定する移動判定部と、
前記所持ユーザまたは他のユーザが所持する携帯端末に対して、前記移動判定部による前記所持ユーザの前記エレベーターを利用した移動の判定結果に基づいた通知を行う通知部と
を備えたことを特徴とするエレベーター制御システム。
【請求項２】
前記管理システムは、会議のスケジュール管理システムであり、
前記移動判定部は、
前記運転情報に含まれる前記エレベーターへ登録された呼び階床と、前記検出判定部から受信したスケジュールに含まれる、前記所持ユーザが出席予定の会議の開催場所が位置する階床情報との比較を行い、
前記通知部は、
前記移動判定部が比較した階床が不一致の場合、前記所持ユーザが所持する携帯端末に対して、前記会議の開催時刻および開催場所を含んだ会議情報を通知する
ことを特徴とする請求項１に記載のエレベーター制御システム。
【請求項３】
前記通知部は、
前記所持ユーザが出席予定である前記会議に出席予定の前記他のユーザが所持する携帯端末に対して、前記所持ユーザが前記会議の開催場所が位置する階床とは異なる階床へ移動していることを通知する
ことを特徴とする請求項２に記載のエレベーター制御システム。
【請求項４】
前記移動判定部は、
前記端末検出部によって前記呼び階床の登録前とは異なる階床で前記所持ユーザが所持する携帯端末の端末識別情報が検出された場合に、前記所持ユーザが前記会議の開催場所が位置する階床とは異なる階床で前記エレベーターを降車したと判定し、
前記通知部は、
前記移動判定部によって前記所持ユーザが前記会議の開催場所が位置する階床とは異なる階床で前記エレベーターを降車したと判定された場合に、前記所持ユーザが所持する携帯端末に対して、前記会議への出欠を確認する出欠確認を通知し、
前記出欠確認に対して前記所持ユーザが所持する携帯端末を介して入力された前記所持ユーザの前記会議への出欠の情報を、前記他のユーザが所持する携帯端末に対して通知する
ことを特徴とする請求項２または３に記載のエレベーター制御システム。
【請求項５】
前記運転情報に含まれる前記エレベーターへ登録された呼び階床の情報と、前記スケジュールに含まれる前記会議の開催場所が位置する階床情報とに基づいて算出された、前記所持ユーザが前記会議の開催場所に到着するまでの予測時間を、前記他のユーザが所持する携帯端末に対して通知する
ことを特徴とする請求項２または３に記載のエレベーター制御システム。
【発明の詳細な説明】
【技術分野】
【０００１】
本発明は、エレベーター制御システムに関する。
【背景技術】
【０００２】
従来のエレベーターにおいて、不正な利用者の侵入を阻止しながら、正当な利用者に対して円滑なエレベーターサービスを提供するため、相反する侵入阻止と円滑利用の両立を簡便な手法で実現できる技術が考案されている。
【０００３】
例えば、特許文献１には、ビルのエレベーター乗り場に設置された第１の無線通信装置が受信した、ビルの利用者が保持する第２の無線通信装置の情報が、登録ありの場合にエレベーターの運行を行い、登録なしの場合に運行を行わないエレベーター運転制御システムが開示されている。
【０００４】
また、従来の会議システムにおいて、会議毎に会議情報（日時、場所、参加者等）を登録し、会議開始時に参加者の所持する端末に会議の予定を通知する会議システムが知られている。この会議システムでは、会議出席者が何らかの理由で遅刻したり会議を忘れてしまったりして、会議が円滑に進行できなくなる事を防止するため、会議開始時刻になっても会議場所に現れない参加者に会議時刻となったことを通知する。
【０００５】
例えば、特許文献２には、会議開始時刻になっても会議場所に現れない会議出席者に会議時刻となったことを通知することができると共に、呼び出される側の出欠や遅刻等の都合を他の会議出席者に通知する会議招集システムが開示されている。
【先行技術文献】
【特許文献】
【０００６】
【特許文献１】特開２０１５−１０５１６０号公報
【特許文献２】特開２００４−１７９７９８号公報
【発明の概要】
【発明が解決しようとする課題】
【０００７】
特許文献２に開示の技術では、制御装置は、開催時刻となった会議の参加予定者の所持する構内ＰＨＳの位置情報を構内交換機から取得する。そして、制御装置は、会議参加予定者が所持する構内ＰＨＳの位置情報が開催予定の会議室にない場合には、会議開催時間である旨を通知し、通知を受けた会議参加予定者により入力された自身の現在状況を、他の会議参加予定者に伝える。しかし、自身の現在状況の入力が行われなかった場合には、会議参加予定者の状況を他の会議参加予定者が把握することができないという問題がある。
【０００８】
本発明は以上の点を考慮してなされたもので、エレベーターを利用する会議参加予定者の移動を検知し、会議参加予定者のエレベーターの利用状況等を他の会議参加予定者へ送信して共有し、会議参加予定者の現在状況と会議への参加意思を他の会議参加予定者が把握することで、円滑な会議の開始を可能とすることを１つの目的とする。
【課題を解決するための手段】
【０００９】
かかる課題を解決するため本発明においては、例えば、エレベーターの運転を制御する運転制御部を有するエレベーター制御システムは、前記エレベーターの乗場付近に位置する携帯端末の端末識別情報を検出する端末検出部と、前記端末検出部によって検出された端末識別情報が、ユーザにかかわるスケジュールを管理する管理システムから受信した端末識別情報のリストに含まれるか否かを判定する検出判定部と、前記運転制御部から取得した前記エレベーターの運転情報と、前記管理システムから受信したスケジュールとの照合結果に基づいて、前記検出判定部によって前記リストに端末識別情報が含まれると判定された携帯端末の所持ユーザの前記エレベーターを利用した移動を判定する移動判定部と、前記所持ユーザまたは他のユーザが所持する携帯端末に対して、前記移動判定部による前記所持ユーザの前記エレベーターを利用した移動の判定結果に基づいた通知を行う通知部とを備えたことを特徴とする。
【発明の効果】
【００１０】
本発明によれば、例えば、円滑な会議の開始を可能とすることができる。
【図面の簡単な説明】
【００１１】
【図１】実施形態のエレベーター装置の構成例を示す図である。
【図２】実施形態のエレベーター制御システムの構成例を示す図である。
【図３】実施形態の会議情報の例を示す図である。
【図４】実施形態のエレベーター制御システムにおける処理例を示すフローチャートである。
【図５】実施形態のエレベーター制御システムにおける処理例を示すフローチャートである。
【図６】実施形態のエレベーター制御システムにおける処理例を示すフローチャートである。
【図７】実施形態のエレベーター制御システムにおける処理例を示すシーケンス図である。
【図８】実施形態の会議出席予定者のスマートフォンの画面における会議開催通知の表示例を示す図である。
【図９】実施形態の他の会議出席予定者のスマートフォンの画面における会議出席予定者の移動状況の表示例を示す図である。
【図１０】実施形態の会議出席予定者のスマートフォンの画面における会議出席確認の表示例を示す図である。
【図１１】実施形態の他の会議出席予定者のスマートフォンの画面における会議出席予定者の出欠情報の表示例を示す図である。
【図１２】実施形態のスケジュール管理システムを実現するコンピュータの一例を示す図である。
【図１３】他の実施形態における他の会議出席予定者のスマートフォンの画面における会議出席予定者の移動状況の表示例を示す図である。
【図１４】他の実施形態における他の会議出席予定者のスマートフォンの画面における会議出席予定者の到着予定時刻を含む移動状況の表示例を示す図である。
【発明を実施するための形態】
【００１２】
以下、図面に基づき、本発明の実施形態を詳述する。本明細書において、各図面の同一参照番号は、同一あるいは類似の構成または処理を示し、後出の実施形態の説明では前出の実施形態との差分のみを説明し、後出の説明を省略する場合がある。また、各実施形態および各変形例は、本発明の技術思想の範囲内かつ整合する範囲内で一部または全部を組合せることができる。
【００１３】
＜エレベーター装置の構成＞
図１は、実施形態のエレベーター装置１００の構成例を示す図である。図１に示すように、エレベーター装置１００は、昇降路１、エレベーター利用者が乗車する乗りかご７、釣合い錘９、任意の位置に設置されるモーター１０、モーター１０に巻きかけられ、乗りかご７と釣合い錘９を懸架する主ロープ８、エレベーターの運行を制御するエレベーター制御装置３、エレベーター制御装置３を収納する制御盤２、および通信回線５を介してスケジュール管理システム６と通信する通信装置４を含んで構成されている。
【００１４】
本実施形態では、昇降路１は４階床用を例としているがこれに限らない。本実施形態では、図１に示すように、１階から４階の各乗り場には、乗り場ドア１２が設置されている。乗りかご７は、モーター１０が正逆転されることで、昇降駆動される。乗りかご７は、行き先階に応じて各階の停止位置を示す着床レベル１６で停止し、乗りかごドア１１と着床した階の乗り場ドア１２が開く。乗りかご７の昇降駆動は、乗りかご７内のかご呼びボタン１５で行き先階が登録される、もしくは各階の乗り場に設けられた乗り場呼びボタン１３で乗りかご７が呼び寄せられることを契機として行われる。また、各階の乗り場ドア１２付近には、エレベーター利用者（以下「乗客」と称する。「ユーザ」ともいう）が所持する携帯端末（以下、本実施形態ではスマートフォン２４を例とする）と無線通信可能な近距離無線通信装置１４が設置されている。図１において、スマートフォン２４は、エレベーターの乗場付近に位置するユーザ（例えば当日の直近の会議の出席予定者）が所持する携帯端末である。また、スマートフォン２３は、会議開催場所に位置する他のユーザ（例えば当日の直近の会議の他の出席予定者）が所持する携帯端末である。
【００１５】
＜エレベーター制御システムの構成＞
図２は、実施形態のエレベーター制御システム１００Ｓの構成例を示す図である。エレベーター制御システム１００Ｓは、エレベーター制御装置３と、通信装置４と、近距離無線通信装置１４とを含む。
【００１６】
エレベーター制御装置３は、運転制御部１７を備える。通信装置４は、会議出席者移動判定部１８と、会議出席者検出判定部１９と、会議情報通知部２０とを備える。スケジュール管理システム６は、会議情報管理部２１と、会議出席者状況発信部２２とを備える。
【００１７】
スマートフォン２３は、乗客とは異なる他の会議出席者（以下「他の会議予定出席者」と称する）が所持するスマートフォンである。スマートフォン２４は、乗客が所持するスマートフォンである。スマートフォン２３，２４は、同一構成であるので、以下スマートフォン２４を例としてその構成を説明する。
【００１８】
スマートフォン２４は、近距離無線通信部２５と、ＳｏＣ（System  on  Chip）等の処理装置によるスケジュール管理システム６との連携アプリケーションの実行により実現されるアプリケーション実行部２６とを備える。アプリケーション実行部２６は、会議情報通知受信部２７と、出欠発信部２８とを備える。
【００１９】
運転制御部１７は、エレベーター装置１００の運転を制御すると共に、エレベーター装置１００の運転情報として呼び登録状況と走行状態と現在階床を会議出席者移動判定部１８へ送信する。
【００２０】
会議情報管理部２１は、当日に行われる会議情報として、会議開始時刻情報と会議開催場所が位置する階床情報と事前に登録された会議出席予定者の所持するスマートフォンの端末識別信号のリストを管理する。会議情報管理部２１は、このリストを３０分毎など一定周期で会議出席者検出判定部１９へ送信する。端末識別信号は、端末識別情報とも言う。
【００２１】
ここで、当日に行われる会議情報について説明する。図３は、実施形態の会議情報の例を示す図である。図３に示す会議情報２１ａは、会議情報管理部２１に管理されると共に会議出席者検出判定部１９へ送信される、当日に行われる会議のスケジュールを示す。会議情報２１ａは、例えば、会議の開催時刻を示す会議開始時刻情報２１ａ１と、会議開催場所が位置する階床を示す階床情報２１ａ２と、事前に登録された会議出席予定者の所持するスマートフォンの端末識別情報のリストを示す参加予定者端末識別情報リスト２１ａ３とを含む。図３の例では、当日に行われる直近の会議は、会議開始時刻情報２１ａ１が「2019/5/31  13:00」、階床情報２１ａ２が「２階」、参加予定者端末識別情報リスト２１ａ３が「X1、X2、X3、…」の会議である。会議情報管理部２１は、会議情報２１ａを会議出席者検出判定部１９へ送信する。
【００２２】
近距離無線通信装置１４は、Ｂｅａｃｏｎ等の無線通信手段により、乗客がエレベーター装置１００の乗り場ドア１２に近づいた際に乗客が所持するスマートフォン２４の個々の端末識別信号を検知し、検知した端末識別信号を会議出席者検出判定部１９へ送信する。近距離無線通信装置１４は、エレベーターの乗場付近に位置する携帯端末の端末識別情報を検出する端末検出部の一例である。
【００２３】
会議出席者検出判定部１９は、近距離無線通信装置１４から受信した端末識別信号と会議情報管理部２１から受信した端末識別信号のリストを照合する。具体的には、会議出席者検出判定部１９は、近距離無線通信装置１４から受信した端末識別信号が会議情報管理部２１から受信した参加予定者端末識別情報リスト２１ａ３に含まれるか否かを判定する。会議出席者検出判定部１９は、近距離無線通信装置１４から受信した端末識別信号が参加予定者端末識別情報リスト２１ａ３に含まれる場合、乗場に近づいた乗客が直近の会議出席予定者であると判定する。乗場に近づいた乗客が直近の会議出席予定者であった場合、会議出席者検出判定部１９は、端末識別信号と会議開催場所が位置する階床情報を会議出席者移動判定部１８へ送信する。直近の会議開催場所が位置する階床情報は、ユーザ（会議出席予定者）にかかわるスケジュールの一例である。
【００２４】
会議出席者移動判定部１８は、運転制御部１７から受信した呼び登録状況を含むエレベーターの運転情報と、会議出席者検出判定部１９から受信した会議開催場所が位置する階床情報との照合結果に基づいて、エレベーターを利用した会議出席予定者の移動を判定する。具体的には、会議出席者移動判定部１８は、会議出席者検出判定部１９から受信した階床情報２１ａ２が、運転制御部１７から受信したエレベーターの運転情報の呼び登録状況に含まれるか否かを判定する。例えば、階床情報２１ａ２が「２階」であり、呼び登録状況が「３階、４階」である場合には、会議出席者移動判定部１８は、当該階床情報が呼び登録状況に含まれないと判定する。
【００２５】
会議出席者移動判定部１８は、当該階床情報が呼び登録状況に含まれない場合、会議情報通知部２０、近距離無線通信装置１４、および近距離無線通信部２５を介して会議情報通知受信部２７へ、会議開催時刻や会議開催場所などの会議開催を通知する。また会議出席者移動判定部１８は、会議出席予定である乗客が会議開催予定とは異なる階床へ向かって移動していることを、会議出席者状況発信部２２を介して、他の会議出席予定者のスマートフォン２３へ通知する。
【００２６】
また、会議出席者移動判定部１８は、呼び登録された乗りかご７が昇降し、目的階に着床後、呼び登録前の階床とは異なる階床で、先に会議開催時刻や会議開催場所などの会議開催を通知した乗客の端末識別信号が、近距離無線通信装置１４により検知されたことを、会議出席者検出判定部１９を介して通知されたとする。このとき、会議出席者移動判定部１８は、会議情報通知部２０、近距離無線通信装置１４、および近距離無線通信部２５を介して会議情報通知受信部２７へ、会議の出欠確認の通知を送信する。
【００２７】
出欠発信部２８は、乗客が会議情報通知受信部２７にて会議の出欠確認の通知を受信後、乗客がスマートフォン２４へ入力した会議の出欠情報を会議情報管理部２１へ送信する。会議情報管理部２１は、乗客によって入力された出欠情報を、会議出席者状況発信部２２を介して会議出席予定者が所持するスマートフォン２３へ通知する。
【００２８】
＜エレベーター制御システムにおける処理＞
図４〜図６は、実施形態のエレベーター制御システム１００Ｓにおける処理例を示すフローチャートである。
【００２９】
まず、図４を参照して、会議出席予定者の検出処理について説明する。ステップＳ１０１では、会議出席者検出判定部１９は、会議情報管理部２１により、当日に行われる会議情報として、会議開始時刻情報、会議開催場所が位置する階床情報、および会議出席予定者のスマートフォンの端末識別信号を受信する。
【００３０】
次に、ステップＳ１０２では、近距離無線通信装置１４は、乗り場ドア１２に近付いた人物が所持するスマートフォン２４の端末識別信号の検出が一定時間継続するか否かを判定する。端末識別信号の検出が一定時間継続する場合（ステップＳ１０２ＹＥＳ）、当該人物は、エレベーターの乗車意思があり、乗りかご７の到着を待っていると判断されるので、近距離無線通信装置１４は、検出した端末識別信号を会議出席者検出判定部１９へ送信する（ステップＳ１０３）。一方、端末識別信号の検出が一定時間継続しなかった場合（ステップＳ１０２ＮＯ）、当該人物は、エレベーターの乗車意思なく付近を通行しただけと判断されるので、近距離無線通信装置１４は、検出した端末識別信号の送信を行わず、ステップＳ１０１へ処理を戻す。
【００３１】
ステップＳ１０３に続きステップＳ１０４では、会議出席者検出判定部１９は、会議情報管理部２１から受信した会議出席予定者のスマートフォンの端末識別信号のリストと近距離無線通信装置１４から受信した端末識別信号とを照合し、一致する端末識別信号が存在するか否かを判定する。一致する端末識別信号が存在する場合（ステップＳ１０４ＹＥＳ）、乗りかご７の到着を待っている人物は、直近で開かれる会議の出席予定者であると判断されるので、端末識別信号と会議開催場所が位置する階床情報を会議出席者移動判定部１８に送信する。一方、一致する端末識別信号が存在しない場合（ステップＳ１０４ＮＯ）、乗りかご７の到着を待っている人物は、直近で開かれる会議の出席予定者ではないと判断されるので、ステップＳ１０１へ処理を戻す。
【００３２】
次に、図５を参照して、会議出席予定者の移動の検出処理について説明する。
【００３３】
図４のステップＳ１０５に続きステップＳ２０１では、運転制御部１７は、ステップＳ１０３で会議出席予定者と判断された人物が乗客として乗りかご７に乗り込み、乗りかご７内のかご呼びボタン１５を押下し、かご呼び登録したか否かを判定する。かご呼び登録された場合（ステップＳ２０１ＹＥＳ）、会議出席者移動判定部１８は、運転制御部１７からエレベーターの運転情報として呼び登録状況と走行状態と現在階床を受信する（ステップＳ２０２）。一方、呼びが登録されていない場合（ステップＳ２０１ＮＯ）、ステップＳ２０１を繰り返す。
【００３４】
ステップＳ２０２に続きステップＳ２０３では、会議出席者移動判定部１８は、乗客が登録した呼びの階床と、会議出席者検出判定部１９から受信した会議開催場所が位置する階床情報との比較を行う。階床が不一致の場合（ステップＳ２０３ＹＥＳ）、会議出席者移動判定部１８は、会議情報通知部２０と近距離無線通信装置１４と近距離無線通信部２５を介して、会議情報通知受信部２７へ会議開催時刻と会議開催場所を乗客のスマートフォン２４へ通知する。
【００３５】
例えば会議出席予定者である乗客が４階で乗りかご７に乗り込み、会議開催場所が位置する階床が２階であるのに対し、乗客が３階の呼びを登録した場合には、会議出席者移動判定部１８は、「Ｘ階のＹ会議室で、Ｈ時Ｍ分から会議が開催されます」などの通知を乗客のスマートフォン２４へ送信し、乗客へ会議開催の通知を行う（図８参照）。図８は、実施形態の会議出席予定者のスマートフォン２４の画面２４ａにおける会議開催通知の表示例を示す図である。
【００３６】
一方、乗客が登録した呼びの階床と、会議開催場所が位置する階床情報とが一致している場合（ステップＳ２０３ＮＯ）、会議出席者移動判定部１８は、乗客は会議開催場所へ向かっていると判断し、乗客への通知は行わず、図４のステップＳ１０１へ処理を戻す。
【００３７】
ステップＳ２０４に続きステップＳ２０５では、会議出席者移動判定部１８は、会議出席予定である乗客が会議開催予定とは異なる階床へ向かって移動しつつあることを、会議出席者状況発信部２２を介して他の会議出席予定者が所持するスマートフォン２３へ通知する。例えば会議出席者移動判定部１８は、「会議出席予定のＡさんがＸ階からエレベーターに乗車しましたが、Ｙ会議室とは異なる階床へ向かおうとしています。」などの通知を他の会議出席予定者のスマートフォン２３へ送信する（図９参照）。図９は、実施形態の他の会議出席予定者のスマートフォン２３の画面２３ａにおける会議出席予定者の移動状況の表示例を示す図である。
【００３８】
次に、図６を参照して、会議の出欠確認処理について説明する。
【００３９】
図６のステップＳ２０５に続きステップＳ３０１では、運転制御部１７は、乗りかご７が呼び登録された目的階に到着したか否かを判定する。目的階に到着した場合（ステップＳ３０１ＹＥＳ）、運転制御部１７は、ステップＳ３０２へ処理を移す。一方、運転制御部１７は、乗りかご７が呼び登録された目的階に到着していない場合（ステップＳ３０１ＮＯ）、すなわち乗りかご７が目的階に向かって走行中である場合、ステップＳ３０１の処理を繰り返す。
【００４０】
ステップＳ３０２では、会議出席者検出判定部１９は、呼び登録前とは異なる階床の近距離無線通信装置１４が、会議出席予定者と判断された乗客の端末識別信号を一定時間検出したか否かを判定する。会議出席予定者と判断された乗客の端末識別信号を一定時間検出した場合（ステップＳ３０２ＹＥＳ）、会議出席者検出判定部１９は、ステップＳ３０３へ処理を移す。一方、会議出席予定者と判断された乗客の端末識別信号を一定時間検出してない場合（ステップＳ３０２ＮＯ）、会議出席者検出判定部１９は、図６の会議の出欠確認処理を終了する。
【００４１】
ステップＳ３０３では、会議出席者検出判定部１９は、会議出席予定者と判断された乗客が降車したと判断し、会議出席者移動判定部１８へ、会議出席予定者と判断された乗客の端末識別信号を送信する。
【００４２】
ステップＳ３０３に続きステップＳ３０４では、会議出席者移動判定部１８は、会議情報通知部２０と近距離無線通信装置１４と近距離無線通信部２５を介して、会議情報通知受信部２７へ会議の出欠確認の通知を送信する（図１０参照）。図１０は、実施形態の会議出席予定者のスマートフォン２４の画面２４ａにおける会議出席確認の表示例を示す図である。例えば図１０に示すように、「Ｘ階のＹ会議室で、Ｈ時Ｍ分から会議が開催されます。会議に出席されますか？」の表示とともに、出席の意思表示を入力するための「ＹＥＳ」ボタンおよび欠席の意思表示のための「ＮＯ」ボタンが表示される。
【００４３】
続いてステップＳ３０５では、出欠発信部２８は、出欠確認の通知を受信した乗客により出欠発信部２８への会議の出欠情報が入力されたか否かを判定する。会議の出欠情報が入力された場合（ステップＳ３０５ＹＥＳ）、入力された会議の出欠情報を会議情報管理部２１へ送信する。続いてステップＳ３０６では、会議情報管理部２１は、受信した出欠情報を、会議出席者状況発信部２２を介して、他の会議出席予定者のスマートフォン２３へ通知することで、各会議出席予定者へ周知する。図１１は、実施形態の他の会議出席予定者のスマートフォン２３の画面２３ａにおける会議出席予定者の出欠情報の表示例を示す図である。図１１（ａ）は、ステップＳ３０５で会議出席予定者により「ＹＥＳ」（会議に出席）が入力された場合に、他の会議出席予定者のスマートフォン２３の画面２３ａに表示される表示例である。図１１（ｂ）は、ステップＳ３０５で会議出席予定者により「ＮＯ」（会議を欠席）が入力された場合に、他の会議出席予定者のスマートフォン２３の画面２３ａに表示される表示例である。ステップＳ３０６が終了すると、図６の会議の出欠確認処理は終了する。
【００４４】
図７は、実施形態のエレベーター制御システム１００Ｓにおける処理例を示すシーケンス図である。図７に示すように、ステップＳ１１では、スケジュール管理システム６の会議情報管理部２１は、通信装置４の会議出席者検出判定部１９へ、会議開始時刻、会議開催階床、および会議出席予定者の端末識別情報を含む会議情報を一定周期で送信する。
【００４５】
続いてステップＳ１２では、エレベーター装置１００の乗り場ドア１２に近付いたエレベーター利用者のスマートフォン２４は、エレベーター乗場に設置された近距離無線通信装置１４へＢｅａｃｏｎ等の無線通信手段を介して端末識別信号を送信する。近距離無線通信装置１４は、当該端末識別信号を一定時間検知すると、当該スマートフォン２４を所持する利用者がエレベーターを利用する意思があると判断し、当該端末識別信号を通信装置４の会議出席者検出判定部１９へ送信する。かくしてステップＳ１２では、スマートフォン２４から会議出席者検出判定部１９へ、その端末識別信号が送信される。
【００４６】
続いてステップＳ１３では、通信装置４の会議出席者検出判定部１９は、スケジュール管理システム６から受信した会議情報に、ステップＳ１２でスマートフォン２４から受信した端末識別信号が含まれるか否かを判定する。すなわちステップＳ１３では、当該スマートフォン２４を所持する利用者が会議出席予定者であるか否かが判定される。ステップＳ１３で、会議出席者検出判定部１９は、当該スマートフォン２４を所持する利用者が会議出席予定者であると判定すると、当該端末識別信号と会議開催場所が位置する階床情報を、通信装置４の会議出席者移動判定部１８へ送信する。
【００４７】
続いてステップＳ１４では、会議出席者移動判定部１８は、ステップＳ１３で判定した会議出席予定者の乗車前の階床情報をスケジュール管理システム６の会議出席者状況発信部２２へ送信する。会議出席者状況発信部２２は、受信した会議出席予定者の乗車前の階床情報を、他の会議出席予定者のスマートフォン２３へ通知する。この通知は、例えば「Ａさんは、現在Ｎ階でエレベーターの乗車待ちです」といった内容でもよい。
【００４８】
続いてステップＳ１５では、エレベーター制御装置３の運転制御部１７は、エレベーターの運転情報（呼び登録、現在階床、および走行状態等）を一定周期で会議出席者移動判定部１８へ送信する。スマートフォン２４の利用者が乗りかご７に乗り込んで行った呼び登録は、ステップＳ１５の処理により会議出席者移動判定部１８へ送信されることになる。
【００４９】
続いてステップＳ１６では、会議出席者移動判定部１８は、受信した運転情報をもとに、会議開催場所が位置する階床が登録された呼びの階床に含まれているか否かを判定する。会議開催場所が位置する階床が登録された呼びの階床に含まれていない場合、会議出席者移動判定部１８は、スマートフォン２４を所持する会議出席予定者が会議開催階床へ向かっていないと判定する。よって、ステップＳ１７では、会議出席者移動判定部１８は、会議情報通知部２０、近距離無線通信装置１４、および近距離無線通信部２５を介して、会議情報通知受信部２７へ、会議の開催や会議階床等を送信することで、会議出席予定者へ会議開催を通知する。この通知は、既述の通り、例えば図８に示すような内容である。
【００５０】
続いてステップＳ１８では、会議出席者移動判定部１８は、ステップＳ１６での登録呼び階床の判定結果、すなわち会議出席予定者が会議階床とは異なる階床へ向かっている情報を会議出席者状況発信部２２へ送信する。会議出席者状況発信部２２は、会議出席予定者が会議階床とは異なる階床へ向かっている情報を、他の会議出席予定者のスマートフォン２３へ通知する。この通知は、既述の通り、例えば図９に示すような内容である。
【００５１】
続いてステップＳ１９では、エレベーター装置１００の乗りかご７から会議階床とは異なる他階床で降車した利用者のスマートフォン２４は、エレベーター乗場に設置された近距離無線通信装置１４へＢｅａｃｏｎ等の無線通信手段を介して端末識別信号を送信する。近距離無線通信装置１４は、呼び登録、乗りかご７の走行、および停止を経て、当該端末識別信号を一定時間検知すると、当該スマートフォン２４を所持する利用者がエレベーターから降車したと判断し、当該端末識別信号を通信装置４の会議出席者検出判定部１９へ送信する。かくしてステップＳ１９では、会議階床とは異なる階床で降車した会議出席予定者のスマートフォン２４から会議出席者検出判定部１９を経由して会議出席者移動判定部１８へ、その端末識別信号と降車階床情報が送信される。
【００５２】
続いてステップＳ２０では、会議出席者移動判定部１８は、会議出席予定者が会議階床とは異なる階床で乗りかご７から降車した情報を会議出席者状況発信部２２へ送信する。会議出席者状況発信部２２は、会議出席予定者が会議階床とは異なる階床で降車した情報を、他の会議出席予定者のスマートフォン２３へ通知する。この通知は、例えば「Ａさんは、会議が開催されるＭ階ではなく、Ｌ階でエレベーターを降りました。」といった内容でもよい。
【００５３】
続いてステップＳ２１では、会議出席者移動判定部１８は、会議情報通知部２０と近距離無線通信装置１４と近距離無線通信部２５を介して、会議情報通知受信部２７へ会議の出欠確認の通知を送信する。この出欠確認の通知は、既述の通り、例えば図１０に示すような内容である。続いてステップＳ２２では、出欠確認を受信したスマートフォン２４の出欠発信部２８は、利用者により入力された出欠情報を、スケジュール管理システム６の会議情報管理部２１へ送信する。
【００５４】
続いてステップＳ２３では、会議情報管理部２１は、受信した出欠情報を、会議出席者状況発信部２２を介して、他の会議出席者のスマートフォン２３へ通知することで、各会議出席者へ周知する。この通知は、既述の通り、例えば図１１に示すような「Ａさんは、会議に出席されます。」や「Ａさんは、会議を欠席されます。」といった内容である。
【００５５】
上述したように、本実施形態によれば、スケジュール管理システム６から取得した会議情報からエレベーター利用者に会議の出席予定があるかを判断し、その利用者がエレベーターを利用し会議が開催される会議室がある階床に向かっているか否かを判断する。この判断結果に応じて、会議の出席予定があるエレベーター利用者に会議開催通知および出欠確認を通知すると共に、他の会議参加予定者に対しても会議の出席予定があるエレベーター利用者のエレベーターの利用状況と会議の出欠確認結果を送信し共有する。これにより、会議参加予定者の現在状況と会議への参加意思を他の会議参加予定者が把握できるため、会議開始時刻近くになっても会議室へ未着の会議出席予定者がある場合に、円滑な会議の開始を可能とすることができる。
【００５６】
＜スケジュール管理システムの構成＞
図１２は、実施形態のスケジュール管理システム６を実現するコンピュータの一例を示す図である。スケジュール管理システム６を実現するコンピュータ５０００は、ＣＰＵ（Central  Processing  Unit）に代表される演算装置５３００、ＲＡＭ（Random  Access  Memory）等のメモリ５４００、入力装置５６００（例えばキーボード、マウス、タッチパネル等）、および出力装置５７００（例えば外部ディスプレイモニタに接続されたビデオグラフィックカード）が、メモリコントローラ５５００を通して相互接続される。
【００５７】
コンピュータ５０００において、スケジュール管理システム６を実現するためのプログラムがＩ／Ｏ（Input／Output）コントローラ５２００を介してＳＳＤやＨＤＤ等の外部記憶装置５８００から読み出されて、演算装置５３００およびメモリ５４００の協働により実行されることにより、スケジュール管理システム６が実現される。
【００５８】
あるいは、スケジュール管理システム６を実現するためのプログラムは、ネットワークインターフェース５１００を介した通信により外部のコンピュータから取得されてもよい。あるいは、スケジュール管理システム６を実現するためのプログラムは、可搬型媒体に記憶されて頒布され、この可搬型媒体から読み出されて演算装置５３００およびメモリ５４００の協働により実行されてもよい。
【００５９】
［他の実施形態］
（１）上記実施形態では、通信装置４がエレベーター制御装置３から運転情報を取得し、スケジュール管理システム６から会議情報を取得する。そして、通信装置４は、取得した運転情報と会議情報とを照合した結果に基づいて、会議に関する通知を当該会議出席予定者または他の会議出席予定者へ通知することとした。しかし、これに限らず、スケジュール管理システム６が、エレベーター制御装置３から運転情報を取得し、取得した運転情報と自装置が有する会議情報とを照合した結果に基づいて、会議に関する通知を当該会議出席予定者または他の会議出席予定者へ通知してもよい。すなわち、スケジュール管理システム６が、図２に示す通信装置４の会議出席者移動判定部１８、会議出席者検出判定部１９、および会議情報通知部２０の各機能部をさらに含んだ構成であってもよい。
【００６０】
このようなスケジュール管理システム６の構成を取ることにより、エレベーター装置１００は、通信回線５を境界として、スケジュール管理システム６から機能分離される。このため、エレベーター装置１００は、システムダウン等によるスケジュール管理システム６からの影響を排除し、装置の堅牢性や可用性を保ちつつエレベーターを運行することができる。
【００６１】
一方、本実施形態のように、通信装置４が、取得した運転情報と会議情報とを照合した結果に基づいて、会議に関する通知を当該会議出席予定者または他の会議出席予定者へ通知する構成では、刻々と変化する運転情報を、通信回線５を介さずエレベーター装置１００内で直接取得するので、最新の運転情報に基づいて適切な通知を行うことができるというメリットがある。
【００６２】
（２）上記実施形態では、エレベーター装置１００は、スケジュール管理システム６と連携し、会議出席予定者のエレベーター利用が会議のスケジュールに合致しない場合に、会議に関する通知を当該会議出席予定者または他の会議出席予定者へ通知するとした。しかし、会議のスケジュール管理システム６に限らず、エレベーター装置１００は、様々な管理システムと連携することができる。例えばエレベーター装置１００は、勤怠管理システムと連携することで、労働者のエレベーター利用が予め定めされた勤務スケジュールに合致しない場合、例えば退社予定時刻になっても執務フロアへ向かおうとしている場合に退社を促すなどの通知を当該労働者や他の労働者あるいは勤怠管理者へ通知するようにすることもできる。
【００６３】
（３）上記実施形態では、通信装置４は、エレベーター制御装置３から取得した運転情報と、スケジュール管理システム６から取得した会議情報とを照合した結果に基づいて、エレベーターを利用する会議出席予定者が会議階床とは異なる階床へ向かっていること、および会議出席予定者が会議階床とは異なる階床でエレベーターを降車した場合に会議への出欠を確認することとした。しかし、これに限らず、エレベーター乗場での行先上下階登録から、エレベーターを利用する会議出席予定者が会議階床とは異なる階床へ向かおうとしている場合にも、当該会議出席予定者へ会議開催を通知すると共に、他の会議出席者へ当該会議出席予定者が他の階床へ向かおうとしている旨を通知することとしてもよい。
【００６４】
図１３は、他の実施形態における他の会議出席予定者のスマートフォン２３の画面２３ａにおける会議出席予定者の移動状況の表示例を示す図である。例えば図１３に示すように、エレベーター利用者が５階のＹ会議室で開催される会議の出席予定者であり、３階のエレベーター乗場で下階を行先登録してエレベーターの乗りかご到着を待っている場合、この段階で明らかに会議出席予定者が会議階床とは異なる階床へ向かっていると判断できる。よって、当該エレベーター利用者のスマートフォン２４の画面２４ａに図８に示した通知を表示させたり、他の出席予定者のスマートフォン２３の画面２３ａに、図１３に示すような通知を表示させたりしてもよい。このようにすることで、より早い段階で、会議出席予定者の移動状況を他の会議出席予定者へ周知したり、当該エレベーター利用者に会議開催を通知したりできる。
【００６５】
（４）なお、エレベーター制御装置３から取得した運転情報には、呼び登録として、乗りかご７が会議階床へ至るまでに停止する各呼び階床の情報も含まれる。よって、会議出席者移動判定部１８は、停止階床の数、各階床間の昇降時間、および各階床の停止時間に基づいて、エレベーターの乗りかご７に乗車した会議出席予定者が会議室に到着するまでの予測時間を算出できる。そして、算出した予測時間を、他の会議出席者へ通知してもよい。図１４は、他の実施形態における他の会議出席予定者のスマートフォン２３の画面２３ａにおける会議出席予定者の到着予定時間を含む移動状況の表示例を示す図である。
【００６６】
このようにすることで、エレベーターを利用する会議出席予定者が会議室へ到着するまでの見込み時間を周知できるので、他の会議出席者は、会議開始を遅らせたり、あるいは当該会議出席者の到着を待たずに会議を開始したりと、柔軟に会議を開始する等の運営を行うことができる。
【００６７】
本発明は上記した実施形態に限定されるものではなく、様々な変形例を含む。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加や、削除、置換、統合、もしくは分散をすることが可能である。また実施形態で示した各構成および各処理は、処理効率あるいは実装効率に基づいて適宜分散または統合してもよい。
【符号の説明】
【００６８】
１：昇降路、２：制御盤、３：エレベーター制御装置、４：通信装置、５：通信回線、６：スケジュール管理システム、７：乗りかご、８：主ロープ、９：釣合い錘、１０：モーター、１１：乗りかごドア、１２：乗り場ドア、１３：乗り場呼びボタン、１４：近距離無線通信装置、１５：かご呼びボタン、１６：着床レベル、１７：運転制御部、１８：会議出席者移動判定部、１９：会議出席者検出判定部、２０：会議情報通知部、２１：会議情報管理部、２１ａ：スケジュール情報、２２：会議出席者状況発信部、２３，２４：スマートフォン、２５：近距離無線通信部、２６：アプリケーション実行部、２７：会議情報通知受信部、２８：出欠発信部、１００：エレベーター装置、１００Ｓ：エレベーター制御システム
【図１】
2020200122.tif 000003
【図２】
2020200122.tif 000004
【図３】
2020200122.tif 000005
【図４】
2020200122.tif 000006
【図５】
2020200122.tif 000007
【図６】
2020200122.tif 000008
【図７】
2020200122.tif 000009
【図８】
2020200122.tif 000010
【図９】
2020200122.tif 000011
【図１０】
2020200122.tif 000012
【図１１】
2020200122.tif 000013
【図１２】
2020200122.tif 000014
【図１３】
2020200122.tif 000015
【図１４】
2020200122.tif 000016